(57)【要約】      （修正有）【課題】互いに反対側に配置される２つの表示パネルを備えた表示装置および携帯型電子機器のバックライトとして好適に用いられる照明装置、およびそれを備えた表示装置ならびに携帯型電子機器を提供する。【解決手段】照明装置は、光源１と、光源１から出射した光を受け、その一部を第１の方向に出射する第１導光板１０と、他の一部を第１の方向とは異なる第２の方向に出射する第２導光板２０とを備えている。【選択図】図１
2005093147.tif 000002
【特許請求の範囲】
【請求項１】
光源と、前記光源から出射した光を受け、その一部を第１の方向に出射する第１導光板と、他の一部を前記第１の方向とは異なる第２の方向に出射する第２導光板と、を備えた照明装置であって、
前記第１導光板は、前記光源から出射した光を受ける第１入射端面と、前記第１入射端面に交差し前記第１入射端面から入射した光の一部を前記第１の方向に出射する第１出射主面と、前記第１出射主面に対向する第１対向面と、前記第１出射主面および前記第１対向面を介して前記第１入射端面に対向し前記第１入射端面から入射した光の他の一部を出射する出射端面とを有し、
前記第２導光板は、前記第１導光板の前記出射端面に対向するように配置された第１の部分と、前記第１導光板の前記第１対向面に対向するように配置され前記第１の部分と連続する第２の部分とを含み、
前記第１の部分は、前記第１導光板の前記出射端面から出射した光を受ける第２入射端面と、前記第２入射端面から入射した光の進行方向を変える変換面とを有し、前記出射端面から出射した光の少なくとも一部を進行方向を変えて前記第２の部分に導入し、
前記第２の部分は、前記第１対向面に面する側とは反対側に配置され前記第１の部分によって導入された光の少なくとも一部を前記第２の方向に出射する第２出射主面と、前記第１対向面に面する側に配置され前記第２出射主面に対向する第２対向面とを有し、
さらに、前記第１導光板は、前記第１入射端面から前記出射端面に向かうにつれて実質的に厚さが薄くなる形状を有し、前記第２導光板の前記第２の部分は、前記第１の部分から離れるにつれて実質的に厚さが薄くなる形状を有している、照明装置。
【請求項２】
前記第１対向面と前記第２対向面との間に設けられた第１反射部材を備えている、請求項１に記載の照明装置。
【請求項３】
前記第１の部分の前記変換面を覆うように設けられた第２反射部材を備えている、請求項１または２に記載の照明装置。
【請求項４】
前記第１導光板および前記第２導光板を保持するシャーシを備え、前記シャーシは反射材料から形成されている、請求項１から３のいずれかに記載の照明装置。
【請求項５】
光源と、前記光源から出射した光を受け、その一部を第１の方向に出射する第１導光部と、他の一部を前記第１の方向とは異なる第２の方向に出射する第２導光部と、を備え、
前記第１導光部は、前記光源から出射した光を受ける第１入射端面と、前記第１入射端面に交差し前記第１入射端面から入射した光の一部を前記第１の方向に出射する第１出射主面と、前記第１出射主面に対向する第１対向面と、前記第１出射主面および前記第１対向面を介して前記第１入射端面に対向し前記第１入射端面から入射した光の他の一部を出射する出射端面とを有し、
前記第２導光部は、前記第１導光板の前記第１対向面に対向するように配置されており、前記第１対向面に面する側とは反対側に配置され前記第２導光部内に導入された光の少なくとも一部を前記第２の方向に出射する第２出射主面と、前記第１対向面に面する側に配置され前記第２出射主面に対向する第２対向面とを有する、照明装置であって、
前記第１導光部の前記出射端面に対向するように配置された第３導光部をさらに有し、
前記第３導光部は、前記第１導光板の前記出射端面から出射した光を受ける第２入射端面と、前記第２入射端面から入射した光の進行方向を変える変換面とを有し、前記出射端面から出射した光の少なくとも一部を進行方向を変えて前記第２導光部に導入し、
前記第２導光部と前記第３導光部とは互いに連続するように一体に形成されている、照明装置。
【請求項６】
前記第１対向面と前記第２対向面との間に設けられた第１反射部材を備えている、請求項５に記載の照明装置。
【請求項７】
前記第３導光部の少なくとも前記変換面を覆うように設けられた第２反射部材を備えている、請求項５または６のいずれかに記載の照明装置。
【請求項８】
前記第１導光部、前記第２導光部および前記第３導光部を保持するシャーシを備え、前記シャーシは反射材料から形成されている、請求項５から７のいずれかに記載の照明装置。
【請求項９】
前記変換面は、互いに平行ではない複数の面を有している、請求項１から８のいずれかに記載の照明装置。
【請求項１０】
前記変換面が有する前記複数の面は、前記第２入射端面に対して略４５°の角をなす第１の面および前記第１の面に対して略９０°の角をなす第２の面を含む、請求項９に記載の照明装置。
【請求項１１】
前記変換面が有する前記複数の面は、前記第２入射端面に対して４５°未満の角をなす面を含む３つ以上の面である、請求項９に記載の照明装置。
【請求項１２】
光源と、前記光源から出射した光を受け、その一部を第１の方向に出射する第１導光板と、他の一部を前記第１の方向とは異なる第２の方向に出射する第２導光板と、を備えた照明装置であって、
前記第１導光板は、前記光源側に配置された第１の部分と、前記第１の部分に対して前記光源とは反対側に配置され、前記第１の部分と連続する第２の部分とを含み、
前記第１の部分は、前記光源から出射した光を受ける第１入射端面と、前記第１入射端面の一部に対向し前記第１入射端面から入射した光の一部を出射する出射端面とを有し、
前記第２の部分は、前記第１の部分の前記第１入射端面から入射した光の他の一部を前記第１の方向に出射する第１出射主面と、前記第１出射主面に対向する第１対向面とを有し、
前記第２導光板は、前記第２の部分の前記第１対向面に対向するように配置されており、前記第１の部分の前記出射端面から出射した光を受ける第２入射端面と、前記第１対向面に面する側とは反対側に配置され前記第２入射端面から入射した光の少なくとも一部を前記第２の方向に出射する第２出射主面と、前記第１対向面に面する側に配置され前記第２出射主面に対向する第２対向面とを有している、照明装置。
【請求項１３】
前記第１対向面と前記第２対向面との間に設けられた反射部材をさらに備えている、請求項１２に記載の照明装置。
【請求項１４】
前記第１導光板および前記第２導光板を保持するシャーシを備え、前記シャーシは反射材料から形成されている、請求項１２または１３のいずれかに記載の照明装置。
【請求項１５】
前記光源は少なくとも１つの発光ダイオードである、請求項１から１４のいずれかに記載の照明装置。
【請求項１６】
前記第２の方向に出射する光の光量は、前記第１の方向に出射する光の光量の１／２０以上である、請求項１から１５のいずれかに記載の照明装置。
【請求項１７】
請求項１から１６のいずれかに記載の照明装置と、前記照明装置から前記第１の方向に出射した光を変調する第１表示パネルと、前記照明装置に対して前記第１表示パネルとは反対側に配置され、前記照明装置から前記第２の方向に出射した光を変調する第２表示パネルと、を備えた表示装置。
【請求項１８】
請求項１から１６のいずれかに記載の照明装置と、前記照明装置から前記第１の方向に出射した光を変調する第１表示パネルと、前記照明装置に対して前記第１表示パネルとは反対側に配置され、前記照明装置から前記第２の方向に出射した光を変調する第２表示パネルと、前記照明装置、前記第１表示パネルおよび前記第２表示パネルを収容する筐体と、を備えた携帯型電子機器。
【請求項１９】
前記筐体は、前記照明装置、前記第１表示パネルおよび前記第２表示パネルを収容する表示部と、少なくとも操作キーが設けられた操作部と、前記表示部と前記操作部とを連結する連結部とを有し、前記連結部で折り畳み可能である、請求項１８に記載の携帯型電子機器。
【請求項２０】
前記第１表示パネルおよび前記第２表示パネルは、ノーマリホワイトモードで表示を行う液晶表示パネルであって、前記第１表示パネルおよび前記第２表示パネルの一方が情報を表示するときには他方には黒表示を行うための信号が供給される、請求項１８または１９に記載の携帯型電子機器。
【発明の詳細な説明】
【技術分野】
【０００１】
本発明は、照明装置に関し、特に、２方向に光を出射する照明装置に関する。また、本発明は、そのような照明装置を備えた表示装置および携帯型電子機器にも関する。
【背景技術】
【０００２】
近年、携帯型電話機の普及が進んでおり、電話機本体を折り畳むことができる折り畳み式が主流となっている。特に、主な情報を表示するメイン表示面と、補助的な情報を表示するサブ表示面とを有する２画面タイプがその利便性から人気を呼んでいる。サブ表示面は、折り畳んだ状態で視認できるようにメイン表示面とは反対側に配置されており、電波の受信状態やバッテリー残量などを表示する。２画面タイプの携帯型電話機は、例えば特許文献１に開示されている。
【０００３】
２画面タイプの携帯型電話機では、メイン表示面用の液晶パネル（「メインパネル」と呼ぶ）と、サブ表示面用の液晶パネル（「サブパネル」と呼ぶ）の両方に光を照射する必要があるので、２つの方向に光を出射することができる照明装置が用いられる。
【０００４】
昨今では、折り畳んだ状態でも厚さが気にならないように本体の薄型化が求められており、照明装置にも薄型化が求められている。そこで、図８（ａ）および（ｂ）に示すような照明装置（バックライト）６００の利用が提案されている。
【０００５】
照明装置６００は、光源が導光板の端面に配置されるエッジライト方式のバックライトを２つ積層した構成を有している。具体的には、照明装置６００は、メインパネル用のバックライト６００Ａと、サブパネル用のバックライト６００Ｂとを備えている。
【０００６】
メインパネル用のバックライト６００Ａは、第１の光源６０１と、第１の光源６０１からの光をメインパネル側に出射する第１の導光板６１０とを有している。サブパネル用のバックライト６００Ｂは、第２の光源６０２と、第２の光源６０２からの光をサブパネル側に出射する第２の導光板６２０とを有している。
【０００７】
第１の光源６０１および第２の光源６０２は、それぞれ複数の発光ダイオード（ＬＥＤ）である。第１の光源６０１と第２の光源６０２とは、第１の導光板６１０および第２の導光板６２０に対して互いに反対側に位置するように配置されており、第１の光源６０１と第２の光源６０２とは一枚のフレキシブル配線基板６０３上に設けられている。
【０００８】
一般に、エッジライト方式のバックライトは、他の方式のバックライトに比べて薄型化を図ることが容易であるので、照明装置６００のようにエッジライト方式のバックライトを２つ積層した構成を用いることで、照明装置が厚くなることを抑制できる。
【０００９】
また、薄型化を実現する別の手法として、一枚の導光板の主面および裏面の両方から光を出射させる方式も検討されている。
【特許文献１】特開２００１―１３６２４７号公報
【発明の開示】
【発明が解決しようとする課題】
【００１０】
しかしながら、図８（ａ）および（ｂ）に示す照明装置６００では、互いに反対側に設けられる第１の光源６０１と第２の光源６０２とを一枚のフレキシブル配線基板６０３上に設けるので、配線を引き回す分だけフレキシブル配線基板６０３を大きくする必要がある。フレキシブル配線基板６０３は、母材から取れる数量が製造コストに影響する部材であるので、フレキシブル配線基板６０３が大きくなると製造コストが高くなってしまう。
【００１１】
また、一枚の導光板を用いる方式では、導光板の主面から出射する光の光量と裏面から出射する光の光量とを適切に制御することが難しく、また、光源からの光を効率よく利用できない設計になってしまう。
【００１２】
本発明は、上記問題に鑑みてなされたものであり、互いに反対側に配置される２つの表示パネルを備えた表示装置および携帯型電子機器のバックライトとして好適に用いられる照明装置、およびそれを備えた表示装置ならびに携帯型電子機器を提供することにある。
【課題を解決するための手段】
【００１３】
本発明による照明装置は、光源と、前記光源から出射した光を受け、その一部を第１の方向に出射する第１導光板と、他の一部を前記第１の方向とは異なる第２の方向に出射する第２導光板と、を備えた照明装置であって、前記第１導光板は、前記光源から出射した光を受ける第１入射端面と、前記第１入射端面に交差し前記第１入射端面から入射した光の一部を前記第１の方向に出射する第１出射主面と、前記第１出射主面に対向する第１対向面と、前記第１出射主面および前記第１対向面を介して前記第１入射端面に対向し前記第１入射端面から入射した光の他の一部を出射する出射端面とを有し、前記第２導光板は、前記第１導光板の前記出射端面に対向するように配置された第１の部分と、前記第１導光板の前記第１対向面に対向するように配置され前記第１の部分と連続する第２の部分とを含み、前記第１の部分は、前記第１導光板の前記出射端面から出射した光を受ける第２入射端面と、前記第２入射端面から入射した光の進行方向を変える変換面とを有し、前記出射端面から出射した光の少なくとも一部を進行方向を変えて前記第２の部分に導入し、前記第２の部分は、前記第１対向面に面する側とは反対側に配置され前記第１の部分によって導入された光の少なくとも一部を前記第２の方向に出射する第２出射主面と、前記第１対向面に面する側に配置され前記第２出射主面に対向する第２対向面とを有し、さらに、前記第１導光板は、前記第１入射端面から前記出射端面に向かうにつれて実質的に厚さが薄くなる形状を有し、前記第２導光板の前記第２の部分は、前記第１の部分から離れるにつれて実質的に厚さが薄くなる形状を有しており、そのことによって上記目的が達成される。
【００１４】
ある好適な実施形態において、前記第１対向面と前記第２対向面との間に設けられた第１反射部材を備えている。
【００１５】
ある好適な実施形態において、前記第１の部分の前記変換面を覆うように設けられた第２反射部材を備えている。
【００１６】
ある好適な実施形態において、前記第１導光板および前記第２導光板を保持するシャーシを備え、前記シャーシは反射材料から形成されている。
【００１７】
本発明による他の照明装置は、光源と、前記光源から出射した光を受け、その一部を第１の方向に出射する第１導光部と、他の一部を前記第１の方向とは異なる第２の方向に出射する第２導光部と、を備え、前記第１導光部は、前記光源から出射した光を受ける第１入射端面と、前記第１入射端面に交差し前記第１入射端面から入射した光の一部を前記第１の方向に出射する第１出射主面と、前記第１出射主面に対向する第１対向面と、前記第１出射主面および前記第１対向面を介して前記第１入射端面に対向し前記第１入射端面から入射した光の他の一部を出射する出射端面とを有し、前記第２導光部は、前記第１導光板の前記第１対向面に対向するように配置されており、前記第１対向面に面する側とは反対側に配置され前記第２導光部内に導入された光の少なくとも一部を前記第２の方向に出射する第２出射主面と、前記第１対向面に面する側に配置され前記第２出射主面に対向する第２対向面とを有する、照明装置であって、前記第１導光部の前記出射端面に対向するように配置された第３導光部をさらに有し、前記第３導光部は、前記第１導光板の前記出射端面から出射した光を受ける第２入射端面と、前記第２入射端面から入射した光の進行方向を変える変換面とを有し、前記出射端面から出射した光の少なくとも一部を進行方向を変えて前記第２導光部に導入し、前記第２導光部と前記第３導光部とは互いに連続するように一体に形成されており、そのことによって上記目的が達成される。
【００１８】
ある好適な実施形態において、前記第１対向面と前記第２対向面との間に設けられた第１反射部材を備えている。
【００１９】
ある好適な実施形態において、前記第３導光部の少なくとも前記変換面を覆うように設けられた第２反射部材を備えている。
【００２０】
ある好適な実施形態において、前記第１導光部、前記第２導光部および前記第３導光部を保持するシャーシを備え、前記シャーシは反射材料から形成されている。
【００２１】
ある好適な実施形態において、前記変換面は、互いに平行ではない複数の面を有している。
【００２２】
ある好適な実施形態において、前記変換面が有する前記複数の面は、前記第２入射端面に対して略４５°の角をなす第１の面および前記第１の面に対して略９０°の角をなす第２の面を含む。
【００２３】
ある好適な実施形態において、前記変換面が有する前記複数の面は、前記第２入射端面に対して４５°未満の角をなす面を含む３つ以上の面である。
【００２４】
本発明によるさらに他の照明装置は、光源と、前記光源から出射した光を受け、その一部を第１の方向に出射する第１導光板と、他の一部を前記第１の方向とは異なる第２の方向に出射する第２導光板と、を備えた照明装置であって、前記第１導光板は、前記光源側に配置された第１の部分と、前記第１の部分に対して前記光源とは反対側に配置され、前記第１の部分と連続する第２の部分とを含み、前記第１の部分は、前記光源から出射した光を受ける第１入射端面と、前記第１入射端面の一部に対向し前記第１入射端面から入射した光の一部を出射する出射端面とを有し、前記第２の部分は、前記第１の部分の前記第１入射端面から入射した光の他の一部を前記第１の方向に出射する第１出射主面と、前記第１出射主面に対向する第１対向面とを有し、前記第２導光板は、前記第２の部分の前記第１対向面に対向するように配置されており、前記第１の部分の前記出射端面から出射した光を受ける第２入射端面と、前記第１対向面に面する側とは反対側に配置され前記第２入射端面から入射した光の少なくとも一部を前記第２の方向に出射する第２出射主面と、前記第１対向面に面する側に配置され前記第２出射主面に対向する第２対向面とを有しており、そのことによって上記目的が達成される。
【００２５】
ある好適な実施形態において、前記第１対向面と前記第２対向面との間に設けられた反射部材をさらに備えている。
【００２６】
ある好適な実施形態において、前記第１導光板および前記第２導光板を保持するシャーシを備え、前記シャーシは反射材料から形成されている。
【００２７】
ある好適な実施形態において、前記光源は少なくとも１つの発光ダイオードである。
【００２８】
前記第２の方向に出射する光の光量は、前記第１の方向に出射する光の光量の１／２０以上であることが好ましい。
【００２９】
本発明による表示装置は、上記構成を有する照明装置と、前記照明装置から前記第１の方向に出射した光を変調する第１表示パネルと、前記照明装置に対して前記第１表示パネルとは反対側に配置され、前記照明装置から前記第２の方向に出射した光を変調する第２表示パネルと、を備えており、そのことによって上記目的が達成される。
【００３０】
本発明による携帯型電子機器は、上記構成を有する照明装置と、前記照明装置から前記第１の方向に出射した光を変調する第１表示パネルと、前記照明装置に対して前記第１表示パネルとは反対側に配置され、前記照明装置から前記第２の方向に出射した光を変調する第２表示パネルと、前記照明装置、前記第１表示パネルおよび前記第２表示パネルを収容する筐体と、を備えており、そのことによって上記目的が達成される。
【００３１】
ある好適な実施形態において、前記筐体は、前記照明装置、前記第１表示パネルおよび前記第２表示パネルを収容する表示部と、少なくとも操作キーが設けられた操作部と、前記表示部と前記操作部とを連結する連結部とを有し、前記連結部で折り畳み可能である。
【００３２】
ある好適な実施形態において、前記第１表示パネルおよび前記第２表示パネルは、ノーマリホワイトモードで表示を行う液晶表示パネルであって、前記第１表示パネルおよび前記第２表示パネルの一方が情報を表示するときには他方には黒表示を行うための信号が供給される。
【発明の効果】
【００３３】
本発明によると、互いに反対側に配置される２つの表示パネルを備えた表示装置および携帯型電子機器のバックライトとして好適に用いられる照明装置、およびそれを備えた表示装置ならびに携帯型電子機器が提供される。
【発明を実施するための最良の形態】
【００３４】
以下、図面を参照しながら本発明の実施形態を説明する。なお、本発明は以下の実施形態に限定されるものではない。
【００３５】
（実施形態１）
図１（ａ）、（ｂ）および図２を参照しながら、本実施形態における照明装置１００を説明する。図１（ａ）および図２は、照明装置１００の断面構成を模式的に示し、図１（ｂ）は、照明装置１００の平面構成を示している。なお、図１（ｂ）および図２では、図面の見易さのために図１（ａ）中に示した構成要素の一部を省略している。
【００３６】
照明装置１００は、光源１と、光源１から出射した光を受け、その一部を第１の方向に出射する第１導光板１０と、他の一部を第１の方向とは異なる第２の方向に出射する第２導光板２０とを備えている。第１導光板１０と第２導光板２０はシャーシ３０によって保持されている。
【００３７】
光源１は、本実施形態では６個のＬＥＤ（発光ダイオード；例えば高さ１ｍｍ）であり、フレキシブル配線基板２上に実装されている。なお、光源１としてはＬＥＤに限られず、冷陰極管（ＣＣＦＴ）などを用いてもよい。
【００３８】
第１導光板１０は、光源１側に配置された第１入射端面１０ａと、第１入射端面１０ａに交差する第１出射主面１０ｂと、第１出射主面１０ｂに対向する第１対向面１０ｃと、第１出射主面１０ｂおよび第１対向面１０ｃを介して第１入射端面１０ａに対向する出射端面１０ｄとを有している。
【００３９】
第１入射端面１０ａは、光源１から出射した光を受け、第１出射主面１０ｂは、第１入射端面１０ａから入射した光の一部を第１の方向に出射する。また、出射端面１０ｄは、第１入射端面１０ａから入射した光の他の一部を出射する。
【００４０】
第２導光板２０は、第１導光板１０の出射端面１０ｄに対向するように配置された第１の部分２０Ａと、第１導光板１０の対向面１０ｃに対向するように配置され第１の部分２０Ａと連続する第２の部分２０Ｂとを有している。
【００４１】
第１の部分２０Ａは、第１導光板１０の出射端面１０ｄから出射した光を受ける第２入射端面２０ａと、第２入射端面２０ａから入射した光の進行方向を変える変換面２０ｂとを有しており、この第１の部分２０Ａは、出射端面１０ｄから出射した光の少なくとも一部を進行方向を変えて第２の部分２０Ｂに導入する機能を有する。
【００４２】
本実施形態では、第１の部分２０Ａの変換面２０ｂは、互いに平行ではない第１の面２０ｂ１および第２の面２０ｂ２を有している。第１の面２０ｂ１は、第２入射端面２０ａに対して略４５°の角をなしており、第２の面２０ｂ２は、第１の面２０ａに対して略９０°の角をなしている。
【００４３】
第２の部分２０Ｂは、第１対向面１０ｃに面する側とは反対側に配置された第２出射主面２０ｃを有している。この第２出射主面２０ｃは、第１の部分２０Ａによって導入された光の少なくとも一部を第２の方向に出射する。また、第２の部分２０Ｂは、第１対向面１０ｃに面する側に配置され、第２出射主面２０ｃに対向する第２対向面２０ｄも有している。
【００４４】
図１（ａ）および図２に示すように、第１導光板１０は、第１入射端面１０ａから出射端面１０ｄに向かうにつれて実質的に厚さが薄くなる形状を有し、第２導光板２０の第２の部分２０Ｂは、第１の部分２０Ａから離れるにつれて実質的に厚さが薄くなる形状を有している。つまり、第１導光板１０と、第２導光板２０の第２の部分２０Ｂとは、いずれもくさび形状を有しており、これらは厚さの薄くなる方向が互いに略反対である。
【００４５】
上記の構造を有する照明装置１００において、光源１から出射され第１入射端面１０ａを介して第１導光板１０内に入射した光は、図２に示すように、第１対向面１０ｃと第１出射主面１０ｂとで全反射を繰り返しながら、出射端面１０ｄに向けて伝搬する。第１導光板１０内を伝搬する光の一部は、第１出射主面１０ｂおよび第１対向面１０ｃの少なくとも一方に設けられた配光規制構造によって、第１出射主面１０ｂから第１の方向に向けて出射される。
【００４６】
配光規制構造としては、公知の導光板に用いられる配光規制構造と同種のものを用いることができる。例えば、図３（ａ）に示すように第１出射主面１０ｂに形成された複数のプリズム１１や、図３（ｂ）に示すように第１出射主面１０ｂに形成された複数のレンズ１２を用いることができる。あるいは、プリズム１１やレンズ１２に変えて、微細な凹凸構造（「シボ」と呼ばれる。）を第１出射主面１０ｂ上に形成してもよい。
【００４７】
ただし、第１導光板１０に設けられる配光規制構造は、導光板内部を伝搬する光の一部しか利用しないという点において、従来の導光板の配光規制構造と異なっている。従来の導光板では、理想的には導光板内部を伝搬する光のほぼ全てを出射主面から出射するように配光規制構造が設計されているのに対して、照明装置１００の第１導光板１０では、出射端面１０ｄに所定の量の光を到達させるべく、第１導光板１０内部を伝搬する光の一部のみが第１出射主面１０ｂから出射するように配光規制構造が設計されている。例えば、配光規制構造を構成する単位要素（上述のプリズムやレンズ）の配列ピッチを変えたり、個々の単位要素の構造を変えたり（プリズムの角度の変更やレンズの大きさの変更など）することにより、第１出射主面１０ｂから出射する光の量を変えることができ、そのことによって出射端面１０ｄに所定の量の光を到達させることができる。
【００４８】
第１導光板１０内を伝搬する光のうち、第１出射主面１０ｂから出射せずに出射端面１０ｄに到達した光は、図２に示すように、出射端面１０ｄから第２導光板２０の第１の部分２０Ａに向けて出射される。出射端面１０ｄから出射され第２入射端面２０ａから第２の導光板２０の第１の部分２０Ａ内に入射した光は、変換面２０ｂとしての第１の面２０ｂ１および／または第２の面２０ｂ２によって反射されてその進行方向を変えられ、第２の部分２０Ｂに導入される。
【００４９】
第２の部分２０Ｂに導入された光は、第２出射主面２０ｃと第２対向面２０ｄとで全反射を繰り返しながら第２の部分２０Ｂの内部を伝搬する。第２の部分２０Ｂ内を伝搬する光の少なくとも一部は、第２出射主面２０ｃおよび第２対向面２０ｄの少なくとも一方に設けられた配光規制構造によって、第２出射主面２０ｃから第２の方向に向けて出射される。第２の部分２０Ｂに設けられる配光規制構造としては、上述した第１導光板１０と同様に、公知の導光板に用いられる配光規制構造と同種のものを用いることができる。ただし、第２の部分２０Ｂに設けられる配光規制構造は、光の利用効率を高くする観点から、第２の部分２０Ｂを伝搬する光のほぼ全てを第２出射主面２０ｃから出射するように設計されていることが好ましい。
【００５０】
上述のようにして、照明装置１００は、２つの方向に光を出射することができる。本発明による照明装置１００では、第１導光板１０の出射端面１０ｄから出射した光を第２導光板２０に入射させ、第２導光板２０はその光を用いて照明を行う。従って、照明装置の両側に光源を設ける必要がなく、フレキシブル配線基板を引き回す必要がない。そのため、フレキシブル配線基板の小型化を図ることができ、製造コストの上昇を抑制できる。
【００５１】
また、一般に、光源として、ＣＣＦＴのような線状光源ではなく、ＬＥＤのような点光源を用いる場合、導光板には点光源の配置を反映した均斉度の低い光が入射するので輝度ムラが発生することがある。しかしながら、照明装置１００では、たとえ光源１としてＬＥＤなどの点光源を用いても、第２導光板２０の第２の部分２０Ｂに導入される光は、第１導光板１０内を伝搬することによって均斉度が高くなっているので、第２導光板２０Ｂによって均一な照明を行うことが可能である。
【００５２】
照明装置１００では、第１導光板１０の出射端面１０ｄからの光を第２導光板２０の第２の部分２０Ｂに導入するために、第１の部分２０Ａで光の進行方向を変換している。ここで、第１導光板１０を第１導光部、第２導光板２０の第２の部分２０Ｂを第２導光部と言い換えると、第２導光板２０の第１の部分２０Ａは、第１導光部から出射した光の一部を進行方向を変えて第２導光部に導くための第３導光部であると言える。照明装置１００では、第２導光板２０の第１の部分２０Ａと第２の部分２０Ｂとが連続している、言い換えると、第３の導光部が第２の導光部に連続して一体に形成されているので、進行方向を変えるために別個の部材を設けるよりも、簡便に効率よく第２導光部（第２の部分２０Ｂ）への光の導入を行うことができる。
【００５３】
さらに、本実施形態では、第１導光板１０と、第２導光板２０の第２の部分２０Ｂとがいずれもくさび形状を有しており、第１導光板１０は、第１入射端面１０ａから出射端面１０ｄに向かうにつれて実質的に厚さが薄くなり、第２導光板２０の第２の部分２０Ｂは、第１の部分２０Ａから離れるにつれて実質的に厚さが薄くなる。そのため、平行平板型の導光板を２枚用いる場合よりも、照明装置全体の厚さを薄くすることができ、さらなる薄型化を実現することができる。なお、第１導光板１０には、配光規制構造（例えば図３（ａ）および（ｂ）に示すプリズム１１やレンズ１２）が設けられるので、第１導光板１０の厚さは、厳密には、第１入射端面１０ａから出射端面１０ｄに向かうにつれて単調に減少しない場合もあり得るが、配光規制構造の単位構造よりも十分大きな領域を考えたときにその平均厚さが一端側から他端側に向かうにつれて徐々に薄くなるような形状であれば、すなわち、一端側から他端側に向かうにつれて実質的に厚さが薄くなる形状であれば、薄型化の効果が得られる。
【００５４】
なお、図１（ａ）および図２に示すように、第１対向面１０ｃと第２対向面２０ｄとの間に反射部材３を設けると、第１導光板１０内や第２導光板２０内を伝搬する光が第１出射主面１０ｂおよび第２出射主面２０ｃ以外から外部に漏れ出すことを抑制でき、光の利用効率を向上することができる。反射部材３は、例えば、光反射率の高い材料から形成された反射シートである。両面の反射率が十分に高い反射シートを一枚用いてもよいし、必要に応じて反射シートを二枚用いてもよい。２枚の反射シートを用いることで、外部への光漏れをより確実に抑制できる。
【００５５】
また、図１（ａ）に示すように、第２導光板２０の第１の部分２０Ａの変換面２０ｂを覆うように反射部材４を設けると、変換面２０ｂからの光漏れの発生が抑制され、光の利用効率を向上することができる。反射部材４としては、前述の反射部材３と同様のものを用いることができる。なお、変換面２０ｂを覆う反射部材４を設ける代わりに、シャーシ３０を反射材料（例えば白色高反射グレードのポリカーボネートやポリフェニレンサルファイド）から形成しても同様の効果を得ることができる。
【００５６】
また、本実施形態では、変換面２０ｂが、第２入射端面２０ａに対して略４５°の角をなす第１の面２０ｂ１と、第１の面２０ａに対して略９０°の角をなす第２の面２０ｂ２とから構成されている場合を例示したが、変換面２０ｂの構成はこれに限定されない。例えば、図４に示す変換面２０ｂ’のように、第２入射端面２０ａに対して４５°未満の角をなす面２０ｂ１’を含む４つの面２０ｂ１’、２０ｂ２’、２０ｂ３’、２０ｂ４’を有してもよい。第２入射端面２０ａから入射する光を最初に受ける面が、第２入射端面２０ａとなす角が小さいほど、全反射条件を満たす光が多くなり、より多くの光の進行方向を変換することができる。従って、製造の容易さの観点からは、図１（ａ）に示すように、変換面を比較的少ない個数の面から構成することが好ましく、光の利用効率の観点からは、図４に示すように、変換面を、第２入射端面２０ａに対して比較的小さい角をなす面を含む比較的多い個数の面から構成することが好ましい。
【００５７】
上述した照明装置１００は、公知の手法を用いて製造することができる。例えば、第１導光板１０および第２導光板２０は、導光板の製造方法として公知の手法を用いて製造することができる。第１導光板１０の配光規制構造の設計は、光線追跡などのシミュレーションにより行うことができる。
【００５８】
（実施形態２）
図５を参照しながら、本実施形態における照明装置２００を説明する。図５は、照明装置２００の断面構成を模式的に示している。
【００５９】
照明装置２００は、光源１と、光源１から出射した光を受け、その一部を第１の方向に出射する第１導光板４０と、他の一部を第１の方向とは異なる第２の方向に出射する第２導光板５０とを備えている。第１導光板４０と第２導光板５０とは、例えばシャーシによって保持されている。光源１は、ここでは複数のＬＥＤであり、フレキシブル配線基板（不図示）上に実装されている。勿論、他の点光源を用いてもよいし、冷陰極管（ＣＣＦＴ）を用いてもよい。
【００６０】
第１導光板４０は、光源１側に配置された第１の部分４０Ａと、第１の部分４０Ａに対して光源１とは反対側に配置され、第１の部分４０Ａと連続する第２の部分４０Ｂとを有している。
【００６１】
第１の部分４０Ａは、光源１側に配置された第１入射端面４０ａと、第１入射端面４０ａの一部に対向する出射端面４０ｂとを有している。第１入射端面４０ａは、光源１から出射した光を受け、出射端面４０ｂは、第１入射端面４０ａから入射した光の一部を出射する。
【００６２】
第２の部分４０Ｂは、第１の部分４０Ａの第１入射端面４０ａから入射した光の他の一部を第１の方向に出射する第１出射主面４０ｃと、第１出射主面４０ｃに対向する第１対向面４０ｄとを有している。
【００６３】
第２導光板５０は、第２の部分４０Ｂの第１対向面４０ｄに対向するように配置されている。第２導光板５０は、第１の部分４０Ａの出射端面４０ｂに対向するように配置された第２入射端面５０ａと、第１対向面４０ｄに面する側とは反対側に配置された第２出射主面５０ｂと、第１対向面４０ｄに面する側に配置され第２出射主面５０ｂに対向する第２対向面５０ｃとを有している。第２入射端面５０ａは、第１の部分４０Ａの出射端面４０ｂから出射した光を受け、第２出射主面５０ｂは、第２入射端面５０ａから入射した光の少なくとも一部を第２の方向に出射する。
【００６４】
上記の構造を有する照明装置２００において、光源１から出射され第１入射端面４０ａを介して第１導光板４０の第１の部分４０Ａ内に入射した光は、図５に示すように、所定の距離（第１の部分４０Ａの長さ分）を伝搬したのち、その一部が第２の部分４０Ｂに導入される。第２の部分４０Ｂに導入された光は、第１対向面４０ｄと第１出射主面４０ｃとで全反射を繰り返しながら伝搬する。第２の部分４０Ｂを伝搬する光の少なくとも一部は、第１出射主面４０ｃおよび第１対向面４０ｄの少なくとも一方に設けられた配光規制構造によって、第１出射主面４０ｃから第１の方向に向けて出射される。配光規制構造としては、公知の導光板に用いられる配光規制構造と同種のものを用いることができる。
【００６５】
第１導光板４０の第１の部分４０Ａを伝搬する光のち、出射端面４０ｂに到達した光は、図５に示すように、出射端面４０ｂから第２導光板５０の第２入射端面５０ａに向けて出射される。第２入射端面２０ａから第２導光板５０内に導入された光は、第２出射主面５０ｂと第２対向面５０ｃとで全反射を繰り返しながら第２導光板５０の内部を伝搬する。第２導光板５０内を伝搬する光の少なくとも一部は、第２出射主面５０ｂおよび第２対向面５０ｃの少なくとも一方に設けられた配光規制構造によって、第２出射主面５０ｂから第２の方向に向けて出射される。第２導光板５０に設けられる配光規制構造としては、上述した第１導光板４０と同様に、公知の導光板に用いられる配光規制構造と同種のものを用いることができる。
【００６６】
上述のようにして、照明装置２００は、２つの方向に光を出射することができる。本発明による照明装置２００では、第１導光板４０の第１の部分４０Ａの出射端面４０ｂから出射した光を第２導光板５０に入射させ、第２導光板５０はその光を用いて照明を行う。従って、照明装置の両側に光源を設ける必要がなく、フレキシブル配線基板を引き回す必要がない。そのため、フレキシブル配線基板の小型化を図ることができ、製造コストの上昇を抑制できる。
【００６７】
さらに、本実施形態における照明装置２００では、第１導光板４０が光源１側に第１の部分４０Ａを有しているので、第１導光板４０の第２の部分４０Ｂおよび第２導光板５０のいずれにも、第１の部分４０Ａを伝搬することによって均斉度が高くなった光が導入される。そのため、光源１としてＬＥＤなどの点光源を用いても、第２の部分４０Ｂおよび第２導光板５０の両方で均一な光を照射することができる。
【００６８】
なお、図５に示すように、第１対向面４０ｄと第２対向面５０ｃとの間に反射部材３を設けると、第１導光板４０内や第２導光板５０内を伝搬する光が第１出射主面４０ｃおよび第２出射主面５０ｂ以外から外部に漏れ出すことを抑制でき、光の利用効率を向上することができる。反射部材３は、例えば、光反射率の高い材料から形成された反射シートである。両面の反射率が十分に高い反射シートを一枚用いてもよいし、必要に応じて反射シートを二枚用いてもよい。携帯電話の高性能化の一環として表示画面の高輝度化も進んでおり、光源１からは非常に強い光が出射される場合も想定されるが、２枚の反射シートを用いることで、外部への光漏れをより確実に抑制できる。また、第１導光板４０および第２導光板５０を保持するシャーシを反射材料（例えば白色高反射グレードのポリカーボネートやポリフェニレンサルファイド）から形成することによっても、外部への光漏れを抑制することができる。
【００６９】
上述した照明装置２００も、公知の手法を用いて製造することができる。例えば、第１導光板４０および第２導光板５０は、導光板の製造方法として公知の手法を用いて製造することができる。
【００７０】
（実施形態３）
上述したように、本発明による照明装置は、薄型化を低コストで実現し得るので、互いに反対側に配置される２つの表示パネルを備えた表示装置や携帯型電子機器のバックライトとして好適に用いられる。
【００７１】
ただし、２つの導光板のそれぞれが表示パネルを照明する場合、第２の導光板から第２の方向に出射する光の光量は、第１の導光板から第１の方向に出射する光の光量の１／２０以上であることが好ましい。表示パネルは、それ自身の光透過率が低い素子であるため、第２の方向に出射する光の光量が第１の方向に出射する光の光量の１／２０未満であると、第２の方向に出射する光を用いた表示が好適に行えないことがあるからである。特に、液晶表示パネルは、典型的には構成要素として一対の偏光板を備えているので、光透過率は一般に１〜１０％と非常に低い。
【００７２】
例えば、第１の導光板からの光を受ける第１表示パネルと第２の導光板からの光を受ける第２表示パネルのサイズ、透過率および要望輝度を下記の表１のように設定した場合を考える。
【００７３】
【表１】
2005093147.tif 000003
【００７４】
第２の導光板から出射する光の光量の、第１の導光板から出射する光の光量に対する比は、表示パネルの面積比と、導光板の単位面積当たりの明るさ（表示パネルの要望輝度／透過率で表される）の比との積で表されるので、この場合、光量比は、｛（１×１）／（２×２）｝×｛（５０／０．０５）／（２００／０．０５）｝＝１／１６≒１／２０となる。
【００７５】
以下、図６および図７を参照しながら、本発明による照明装置を備えた折り畳み式の携帯型電話機３００を説明する。図６（ａ）および（ｂ）は、折り畳んだ状態を示す図であり、（ａ）は側面図、（ｂ）は正面図である。また、図７（ａ）、（ｂ）および（ｃ）は、開いた状態を示す図であり、（ａ）は側面図、（ｂ）は正面図、（ｃ）は背面図である。
【００７６】
携帯型電話機３００は、主な情報を表示するメイン表示面６０Ａと、補助的な情報を表示するサブ表示面６０Ｂとを有する、いわゆる２画面タイプの携帯型電話機である。サブ表示面６０Ｂには、例えば、電波の受信状態やバッテリー残量などが表示される。
【００７７】
携帯型電話機３００は、本発明による照明装置（例えば図１に示す照明装置１００や図５に示す照明装置２００）と、照明装置から第１の方向に出射した光を変調する第１表示パネル（例えば液晶表示パネル）６１と、照明装置から第２の方向に出射した光を変調する第２表示パネル（例えば液晶表示パネル）６２と、照明装置、第１表示パネル６１および第２表示パネル６２を収容する筐体とを有している。照明装置は、ここでは図示していないが、第１表示パネル６１と第２表示パネル６２との間に設けられている。従って、第２表示パネル６２は、照明装置に対して第１表示パネル６１とは反対側に配置されている。
【００７８】
筐体は、照明装置、第１表示パネル６１および第２表示パネル６２を収容する表示部６０と、操作キー７１が設けられた操作部７０と、表示部６０と操作部７０とを連結する連結部（例えばヒンジ）８０とを有しており、連結部８０で折り畳み可能である。
【００７９】
携帯型電話機３００は、バックライトとして、本発明による照明装置を備えているので、製造コストの上昇を抑制しつつ、薄型化を図ることができる。
【００８０】
なお、第１表示パネル６１および第２表示パネル６２が、ノーマリホワイトモードで表示を行う液晶表示パネルである場合には、第１表示パネル６１および第２表示パネル６２の一方が情報を表示するときには、他方には黒表示を行うための信号を供給することが好ましい。こうすることによって、観察している表示面とは反対側の表示面が光ることを防止でき、携帯型電話機として好適に使用できる。
【産業上の利用可能性】
【００８１】
本発明によると、互いに反対側に配置される２つの表示パネルを備えた表示装置および携帯型電子機器のバックライトとして好適に用いられる照明装置、およびそれを備えた表示装置ならびに携帯型電子機器が提供される。
【００８２】
本発明は、いわゆる２画面タイプの携帯型電話機に特に好適に用いられる。
【図面の簡単な説明】
【００８３】
【図１】（ａ）および（ｂ）は、本発明による照明装置１００を模式的に示す図であり、（ａ）は断面図、（ｂ）は上面図である。
【図２】本発明による照明装置１００を模式的に示す断面図である。
【図３】（ａ）および（ｂ）は、導光板に設けられる配向規制構造の例を示す図である。
【図４】第２導光板が有する変換面の他の態様を示す図である。
【図５】本発明による他の照明装置２００を模式的に示す断面図である。
【図６】（ａ）および（ｂ）は、本発明による携帯型電話機３００の折り畳んだ状態を模式的に示す図であり、（ａ）は側面図、（ｂ）は正面図である。
【図７】（ａ）、（ｂ）および（ｃ）は、本発明による携帯型電話機３００の開いた状態を示す図であり、（ａ）は側面図、（ｂ）は正面図、（ｃ）は背面図である。
【図８】（ａ）および（ｂ）は、従来の照明装置６００を模式的に示す図であり、（ａ）は断面図、（ｂ）は上面図である。
【符号の説明】
【００８４】
１    光源
２    フレキシブル配線基板
３、４    反射部材
１０    第１導光板
１０ａ    第１入射端面
１０ｂ    第１出射主面
１０ｃ    第１対向面
１０ｄ    出射端面
１１    プリズム
１２    レンズ
２０    第２導光板
２０Ａ    第１の部分
２０Ｂ    第２の部分
２０ａ    第２入射端面
２０ｂ、２０ｂ’    変換面
２０ｃ    第２出射主面
２０ｄ    第２対向面
３０    シャーシ
４０    第１導光板
４０Ａ    第１の部分
４０Ｂ    第２の部分
４０ａ    第１入射端面
４０ｂ    出射端面
４０ｃ    第１出射主面
４０ｄ    第１対向面
５０    第２導光板
５０ａ    第２入射端面
５０ｂ    第２出射主面
５０ｃ    第２対向面
６０    表示部
６０Ａ    メイン表示面
６０Ｂ    サブ表示面
６１    第１表示パネル
６２    第２表示パネル
７０    操作部
７１    操作キー
８０    連結部
１００、２００    照明装置
３００    携帯型電話機
【図１】
2005093147.tif 000004
【図２】
2005093147.tif 000005
【図３】
2005093147.tif 000006
【図４】
2005093147.tif 000007
【図５】
2005093147.tif 000008
【図６】
2005093147.tif 000009
【図７】
2005093147.tif 000010
【図８】
2005093147.tif 000011